(57)【特許請求の範囲】
【請求項１】
ＣＤＭＡセルラシステムにおける移動通信用端末装置において、
ハンドオーバー元基地局の通信チャネルの移動局での受信タイミング又は移動局の送信タイミングとハンドオーバー先のとまり木チャネルの受信タイミングとの時間差を計測する手段と、
サイトダイバーシティ受信時の各基地局からの通信チャネルの受信タイミングのずれを基に前記時間差を修正する手段と、
該修正した時間差を基地局へ報告する手段と、
を備えたことを特徴とする移動通信用端末装置。
【請求項２】
前記時間差を修正する手段は、サイトダイバーシティ受信時の各基地局からの通信チャネルの受信タイミングの最も遅いタイミングを基に、ハンドオーバー先基地局からの通信チャネルの受信タイミングが、該最も遅いタイミングを超えない範囲で該タイミングに最も近いタイミングとなるように、前記時間差に特定単位での丸め分を加算若しくは減算した値又は該加減算を行わない時間差値を選択して、前記時間差を修正することを特徴とする請求項１に記載の移動通信用端末装置。
【請求項３】
前記修正した時間差を予め特定単位で丸めた後に基地局へ報告することを特徴とする請求項１又は２に記載の移動通信用端末装置。
【発明の詳細な説明】
【０００１】
【発明の属する技術分野】
本発明は、移動通信用端末装置に関し、特に、サイトダイバーシティ受信を行ってハンドオーバーを行う際に、複数の基地局から送信される信号の受信タイミングのずれを調整するための遅延バッファを最小とすることができる移動通信用端末装置に関する。
【０００２】
現在、開発が進められているＷ−ＣＤＭＡ移動通信システムでは、移動局（ＭＳ：Mobile Station；移動通信用端末装置）が無線エリアの境界を横切るときに、現在通信中の基地局（ＢＴＳ：Base Transceiver Station）を、移動先の基地局（ＢＴＳ）に切替えるために、ハンドオーバーという切替え制御処理技術が用いられる。
【０００３】
移動局（ＭＳ）が無線エリアの境界を通過するとき、移動局（ＭＳ）は、切替え元基地局( ＢＴＳ１) と切替え先基地局（ＢＴＳ２）の両方の基地局からの送信信号を、一時的に同時に受信して合成（サイトダイバーシティ受信）する状態に入り、その後に受信状態の悪い側の基地局（ＢＴＳ）を切り離すというハンドオーバー処理を行う。
【０００４】
サイトダイバーシティ受信を行うには、複数の基地局（ＢＴＳ）からの信号を合成受信するために、移動局（ＭＳ）では各々の基地局（ＢＴＳ）からの受信タイミングのずれを遅延調整した後に合成する必要がある。
【０００５】
このため、移動局（ＭＳ）にとって、サイトダイバーシティ対象の基地局（ＢＴＳ）からの受信タイミングのずれ時間を切り詰めることが重要になる。該受信タイミングのずれ時間が不確定であれば、移動局（ＭＳ）に備える遅延調整用の遅延バッファを充分大きくしなければならず、ハードウェアと消費電力の増大につながるからである。
【０００６】
【従来の技術】
現在ＩＴＵ（国際電気通信連合）で策定中のＩＭＴ−２０００の標準規格案として、日本のＡＲＩＢ（Association of Radio Industries and Businesses＝社団法人電波産業会）で検討されたハンドオーバー時における移動先基地局（ＢＴＳ２）の送信タイミングを決定する手順は、以下のとおりである。
【０００７】
図６はハンドオーバー先基地局（ＢＴＳ２）の送信タイミング決定手順の説明図である。同図は、各基地（ＢＴＳ）及び移動局（ＭＳ）における信号のタイミングを表し、“ＳＦＮ＝０" ，“ＳＦＮ＝１" ，“ＳＦＮ＝２" ，〜“ＳＦＮ＝３６８６３" はスーパーフレームナンバーを表している。
【０００８】
図の（ａ）はハンドオーバー元基地局（現在通信中の基地局ＢＴＳ１）から移動局（ＭＳ）へ送信された下り通信チャネル（ＤＰＣＨ：Dedicated Physical Channel；移動局−基地局間のポイント−ポイントの個別物理チャネル）の送信タイミングを表し、図の（ｂ）は移動局（ＭＳ）における該下り通信チャネル（ＤＰＣＨ）の受信タイミングを表している。
【０００９】
図に示すように、移動局（ＭＳ）における基地局（ＢＴＳ１）からの下り通信チャネル（ＤＰＣＨ）の受信タイミングは、基地局（ＢＴＳ１）の送信タイミングからその間の伝搬遅延時間分遅れる。
【００１０】
移動局（ＭＳ）は、ハンドオーバー元基地局（ＢＴＳ１）からの下り通信チャネル（ＤＰＣＨ）の受信タイミング（先頭スーパーフレーム（ＳＦＮ＝０）の先頭タイミング位置）を抽出し、図の（ｃ）に示すように、このタイミングより一定時間（２５０μｓｅｃ）シフトしたタイミングを、移動局（ＭＳ）から基地局（ＢＴＳ）への上り通信チャネル（ＤＰＣＨ）の送信タイミングとする。
【００１１】
上記移動局（ＭＳ）における下り通信チャネルの受信タイミングから上り通信チャネルの送信タイミングまでの一定時間（２５０μｓｅｃ）のタイミングシフトは「送受信オフセット」と称され、４．０９６Ｍｃｐｓの拡散チップレートの場合、１０２４ｃｈｉｐとなる。
【００１２】
一方、図の（ｄ）に示すように、ハンドオーバー先の基地局（ＢＴＳ２）から常時とまり木チャネルが送信され、移動局（ＭＳ）は、該ハンドオーバー先の基地局（ＢＴＳ２）からのとまり木チャネルを受信し、図の（ｅ）に示す移動局（ＭＳ）でのとまり木チャネルの受信タイミングと、前述の図（ｃ）に示す移動局（ＭＳ）の上り通信チャネル（ＤＰＣＨ）の送信タイミングとの時間差（ＴDHO ）を計測し、該とまり木チャネル受信タイミングの時間差（ＴDHO ）情報を、ハンドオーバー元基地局（ＢＴＳ１）へ通信チャネル（ＤＰＣＨ）を介して報告する。
【００１３】
ハンドオーバー元基地局（ＢＴＳ１）はハンドオーバー先基地局（ＢＴＳ２）へネットワークを介してこの時間差（ＴDHO ）情報を通知する。ハンドオーバー先基地局（ＢＴＳ２）は、図の（ｆ）に示すように、とまり木チャネル送信タイミングから、該時間差（ＴDHO ）分シフトし、更にそのタイミングから送受信オフセットの２５０μｓｅｃ（１０２４ｃｈｉｐ）分早めたタイミングで、下り通信チャネル（ＤＰＣＨ）を送信する。
【００１４】
移動局（ＭＳ）には、図の（ｇ）に示す受信タイミングで、ハンドオーバー先基地局（ＢＴＳ２）からの下り通信チャネル（ＤＰＣＨ）が到来し、図の（ｂ）と（ｇ）とを比較すると分かるように、ハンドオーバー元基地局（ＢＴＳ１）からの下り通信チャネル（ＤＰＣＨ）の受信タイミングと、ハンドオーバー先基地局（ＢＴＳ２）からの下り通信チャネル（ＤＰＣＨ）の受信タイミングとが一致し、移動局（ＭＳ）に対し連続した信号で基地局を切替えることが可能となる。
【００１５】
前述のとまり木チャネル受信タイミングの時間差（ＴDHO ）情報は、移動局（ＭＳ）の上り通信チャネル（ＤＰＣＨ）のシンボル単位で丸められる。丸め処理として切捨て処理が行われる場合には、ハンドオーバー先基地局（ＢＴＳ２）から送信される下り通信チャネル（ＤＰＣＨ）の受信タイミングは、最大で１シンボル分（０〜２５５ｃｈｉｐ分）早くなり、ハンドオーバー元基地局( ＢＴＳ１) からの受信タイミングとの間にずれが生じる（図６では左方向にずれる）。
【００１６】
移動局（ＭＳ）は、ハンドオーバー元基地局( ＢＴＳ１) とハンドオーバー先基地局（ＢＴＳ２）の両方の基地局からの送信信号を同時に受信してサイトダイバーシティ受信を行い、該受信信号を合成するが、その際に、２つの基地局からの受信タイミングのずれを調整し、双方の受信タイミングを一致させる必要がある。
【００１７】
図７は移動局（ＭＳ）における受信タイミングのずれを調整する回路の説明図である。今、第２の基地局（ＢＴＳ２）からの受信信号の方が第１の基地局（ＢＴＳ１）からの受信信号より早く到着するとすると、第２の基地局（ＢＴＳ２）からの受信信号を遅延バッファ７１に入力し、遅延バッファ７１の遅延量を調整することにより、各基地局（ＢＴＳ１，ＢＴＳ２）からの受信タイミングを合わせて各レイク合成部７２1 ，７２2 に入力し、該レイク合成出力信号を合成することにより、サイトダイバーシティ受信が行われる。
【００１８】
遅延バッファ７１はメモリを用いて構成するため、調整可能な遅延量を大きくするには、メモリの容量を大きくしなければならず、メモリ容量を大きくするとハードウェアと消費電力の増大を招くことになる。
【００１９】
また、遅延バッファ７１の容量を小さくすると、該容量を超える受信タイミングのずれを伴なう基地局（ＢＴＳ）間のサイトダイバーシティ受信を行うことができず、サイトダイバーシティの対象基地局（ＢＴＳ）数が減少し、通信品質の悪化を招く。
【００２０】
そして、もう一つの第３の基地局（ＢＴＳ３）を加えたサイトダイバーシティ受信状態に入ると、３つの基地局（ＢＴＳ）間での受信タイミングのずれが更に大きくなる。図８は３つの基地局（ＢＴＳ）からのサイトダイバーシティ受信における受信タイミングの例を示している。
【００２１】
図８の（ａ）は最初のハンドオーバー元の第１基地局（ＢＴＳ１）からの下り通信チャネルの移動局（ＭＳ）における受信タイミングを示し、図の（ｂ）は最初のハンドオーバー先で次にハンドオーバー元となる第２基地局（ＢＴＳ２）からの下り通信チャネルの移動局（ＭＳ）における受信タイミングを示し、図の（ｃ）は２番目にハンドオーバー先となる第３基地局（ＢＴＳ３）からの下り通信チャネルの移動局（ＭＳ）における受信タイミングを示している。
【００２２】
各基地局（ＢＴＳ１，ＢＴＳ２，ＢＴＳ３）からの下り通信チャネルの受信タイミングのずれ（Ｔｅｒｒｏｒ１，Ｔｅｒｒｏｒ２）は、ハンドオーバー先基地局からのとまり木チャネルの受信タイミングの時間差（ＴDHO ）情報を１シンボル（２５６ｃｈｉｐ）単位で切捨てることによる丸め誤差の影響である。
【００２３】
丸め処理として、１シンボル（２５６ｃｈｉｐ）単位での切捨ての代りに、或る閾値を境に切上げ又は切捨る処理を行ったとしても、切捨てが連続して起きた場合、同様の状態になる。これは、第３の基地局（ＢＴＳ３）とのハンドオーバー時に、第２の基地局（ＢＴＳ２）をハンドオーバー元基地局とするためである。サイトダイバーシティ受信対象の基地局のうち、ハンドオーバー元基地局としてどの基地局が選択されるかについては規定がなく、ケースバイケースによって変わるものと想定する必要がある。
【００２４】
図９は３つの基地局からの信号の受信タイミングのずれを調整する回路の説明図である。３つの基地局からの信号の受信タイミングのずれが図８に示すような例の場合、第２及び第３の基地局（ＢＴＳ２，ＢＴＳ３）からの信号を、それぞれ遅延バッファ９１，９２に入力し、遅延バッファ９１，９２の遅延量を調整して、第１、第２及び第３の基地局（ＢＴＳ１，ＢＴＳ２，ＢＴＳ３）からの信号の受信タイミングを一致させて各第１、第２及び第３のレイク合成部９３，９４，９５に入力する。
【００２５】
しかし、実際にはどの基地局が最初のハンドオーバー元となるかは定まらないので、各基地局（ＢＴＳ１，ＢＴＳ２，ＢＴＳ３）からの受信信号に対して対等に扱う必要があり、現実の回路構成は図１０に示すようになる。
【００２６】
図１０において各遅延バッファ１０１，１０２，１０３の容量は同じである。受信信号は通常ＡＤ変換されるので、量子化ビット数×遅延調整可能チップ数×最大サイトダイバーシティ受信基地局数だけの遅延バッファ容量（ビット数）が必要となる。
【００２７】
【発明が解決しようとする課題】
このような状態において、例えば第２の基地局（ＢＴＳ２）からの信号が微弱となり、移動局（ＭＳ）から切り離され、さらに新しい第４の基地局（ＢＴＳ４）にハンドオーバーする事態が発生したとき、サイトダイバーシティ受信を行うために、さらに大きな受信タイミングをのずれを調整する遅延バッファが必要となる可能性が生じる。
【００２８】
また、第３の基地局（ＢＴＳ３）が切り離され、新しく第５の基地局（ＢＴＳ５）にハンドオーバーする事態が発生するとさらに大きな遅延バッファが必要となる。図１１はこのように複数回のハンドオーバーが行われたときの様子を示している。
【００２９】
図１１に示すように、第１の基地局（ＢＴＳ１）との通信チャネルによるリンクを残したまま、他の新たな基地局へのハンドオーバーを繰り返すと、いくらでも第１の基地局（ＢＴＳ１）と他の基地局（ＢＴＳ４，ＢＴＳ５）との受信タイミングのずれが大きくなる可能性が生じる。
【００３０】
移動局（ＭＳ）が最大のサイトダイバーシティ効果を得るためには、第１の基地局（ＢＴＳ１）以外の全ての基地局からの受信信号を蓄積して受信タイミングのずれを調整する遅延バッファを備える必要がある。
【００３１】
そして、各基地局からの受信信号の受信タイミングのずれが大きいと、そのずれを調整する遅延バッファの容量を大きくしなければならず、そうすると移動局（ＭＳ）のハードウェア、消費電力の増大を招くことになり、通話時間が短縮され、電池容量が大きくなり、端末重量が増すといった欠点を生じる。
【００３２】
本発明は、ハンドオーバー先基地局からの通信チャネルの受信タイミングが、サイトダイバーシティ受信対象の基地局からの通信チャネルの受信タイミングと最小のずれとなるようにし、受信タイミング調整用の遅延バッファを最小としたまま、最大のサイトダイバーシティ効果を得ることができ、移動通信用端末装置のハードウェア及び消費電力の削減を図るとともにサイトダイバーシティ効果による受信品質の向上を図ることを目的とする。
【００３３】
【課題を解決するための手段】
本発明の移動通信用端末装置は、（１）ＣＤＭＡセルラシステムにおける移動局として用いられる移動通信用端末装置において、ハンドオーバー元基地局の通信チャネルの移動局での受信タイミング又は移動局の送信タイミングとハンドオーバー先のとまり木チャネルの受信タイミングとの時間差を計測する手段と、サイトダイバーシティ受信時の各基地局からの通信チャネルの受信タイミングのずれを基に前記時間差を修正する手段と、該修正した時間差を基地局へ報告する手段とを備えたものである。
【００３４】
また、（２）前記時間差を修正する手段は、サイトダイバーシティ受信時の各基地局からの通信チャネルの受信タイミングの最も遅いタイミングを基に、ハンドオーバー先基地局からの通信チャネルの受信タイミングが、該最も遅いタイミングを超えない範囲で該タイミングに最も近いタイミングとなるように、前記時間差に特定単位での丸め分を加算若しくは減算した値又は該加減算を行わない時間差値を選択して、前記時間差を修正するものである。
また、（３）前記修正した時間差を予め特定単位で丸めた後に基地局へ報告するものである。
【００３５】
【発明の実施の形態】
図１は本発明の実施形態の構成例を示す図である。図に示すように本発明の移動通用端末装置は、受信部Ｒｘを介してとまり木チャネル受信部１１によりハンドオーバー先の基地局からのとまり木チャネルを受信し、受信タイミング測定部１３1 でとまり木チャネルの受信タイミングを測定し、該受信タイミング情報をとまり木チャネル受信タイミング時間差（ＴDHO ）算出部１５に出力する。
【００３６】
また、ハンドオーバー元の基地局からの信号を通信チャネル（ＤＰＣＨ）受信部１２1 により受信し、受信タイミング測定部１３2 でその受信タイミングを測定し、該測定値を送信タイミング決定部１４に出力する。
【００３７】
送信タイミング決定部１４は該受信タイミングから一定時間（２５０μｓｅｃ）シフトした上り通信チャネルの送信タイミングを決定し、該送信タイミング情報をとまり木チャネル受信タイミング時間差（ＴDHO ）算出部１５に出力する。
【００３８】
とまり木チャネル受信タイミング時間差（ＴDHO ）算出部１５は、とまり木チャネルの受信タイミング情報と、上り通信チャネルの送信タイミング情報とから、とまり木チャネル受信タイミング時間差（ＴDHO ）を算出する。このとき、とまり木チャネル受信タイミング時間差（ＴDHO ）は、上り通信チャネルのシンボル単位で切捨て処理が行われる。
【００３９】
とまり木チャネル受信タイミング時間差（ＴDHO ）算出部１５は、算出した時間差（ＴDHO ）情報をＣＰＵ１８に入力するとともに、該時間差（ＴDHO ）情報に丸め単位Ｒ（通信チャネルのシンボル単位の時間長）を加える加算部１７を通して該加算値（ＴDHO ＋Ｒ）をＣＰＵ１８に入力する。
【００４０】
一方、サイトダイバーシティ受信を行っているもう一方の基地局から受信される信号を、通信チャネル（ＤＰＣＨ）受信部１２2 により受信し、受信タイミング測定部１３3 でその受信タイミングを測定する。
【００４１】
２つの基地局からサイトダイバーシティ受信を行っている２つの通信チャネル（ＤＰＣＨ）受信部１２1 ，１２2 は、それぞれ遅延バッファを備え、該遅延バッファによる調整値をラスト受信タイミング（Ｔlast）決定部１６に出力する。
【００４２】
ラスト受信タイミング（Ｔlast）決定部１６は、２つの通信チャネル（ＤＰＣＨ）受信部１２1 ，１２2 から入力された各遅延バッファ調整値から、最も遅い受信タイミングを決定し、そのタイミング（Ｔlast）情報をＣＰＵ１８に出力する。
【００４３】
ＣＰＵ１８は受信タイミング測定部１３2 から出力されるハンドオーバー元基地局の通信チャネルの受信タイミング情報と、とまり木チャネル受信タイミング時間差（ＴDHO ）算出部１５から出力されるとまり木チャネル受信タイミング時間差（ＴDHO ）及びそれに丸め単位Ｒを加えた値（ＴDHO ＋Ｒ）と、ラスト受信タイミング（Ｔlast）決定部１６から出力される最も遅い受信タイミング（Ｔlast）情報とを入力し、それらに基づいてハンドオーバー元基地局に報告するとまり木チャネル受信タイミング時間差（ＴDHO ）を、以下に説明する手法によって修正し、該修正したとまり木チャネル受信タイミング時間差（ＴDHO ）を上り通信チャネル（ＤＰＣＨ）フレーム生成部１９、送信部Ｔｘを介して、ハンドオーバー元基地局に送信する。
【００４４】
図２は本発明によるとまり木チャネル受信タイミング時間差（ＴDHO ）の修正手段の説明図である。ここで、ハンドオーバー先基地局からのとまり木チャネルの受信タイミングをＴPERCH とし、前述のとまり木チャネル受信タイミング時間差ＴDHO をシンボル単位で切り捨てた値を〔ＴDHO 〕と表し、シンボル単位の時間長をＲ、送受信オフセットをＴoffsetと表すとする。
【００４５】
従来のように単純にとまり木チャネル受信タイミング時間差（ＴDHO ）を基地局へ報告すると、ハンドオーバー先基地局からの下り通信チャネルの受信タイミングＴBTS3DPCHは、｛ＴPERCH ＋〔ＴDHO 〕−Ｔoffset｝となる。
【００４６】
ハンドオーバー先基地局からの下り通信チャネルの受信タイミングＴBTS3DPCHが、前述のＴlastに最も近ければ、必要な遅延調整バッファの容量は最小なものとなる。該受信タイミングＴBTS3DPCHは移動局（ＭＳ）の側で予測することができる。
【００４７】
そこで、ハンドオーバー先基地局からの下り通信チャネルの受信タイミングＴBTS3DPCHとして、｛ＴPERCH ＋〔ＴDHO 〕−Ｔoffset｝と、｛ＴPERCH ＋〔ＴDHO ＋丸め単位Ｒ〕−Ｔoffset｝の二つの値を計算して、その値のうちＴlastに近い方のタイミングを選ぶことにより、常に遅延バッファを最小に保つことができる。
【００４８】
なお、Ｔlastより遅いタイミングを選択すると遅延バッファの遅延量を負の値にしなければならなくなるので、Ｔlastより遅いタイミングを選択することはできない。即ち、｛ＴPERCH ＋〔ＴDHO ＋丸め単位Ｒ〕−Ｔoffset｝の値がＴlastの値を超える場合は、｛ＴPERCH ＋〔ＴDHO 〕−Ｔoffset｝の値を選択し、そうでない場合は、｛ＴPERCH ＋〔ＴDHO ＋丸め単位Ｒ〕−Ｔoffset｝の値を選択する。
【００４９】
このようにすることにより、ハンドオーバー先基地局からの下り通信チャネルの受信タイミングＴBTS3DPCHを図２の斜線部分のみに設定することができ、遅延バッファによる遅延調整量を常に丸め単位Ｒ以下にすることができる。
【００５０】
図３は本発明のＣＰＵによるとまり木チャネル受信タイミング時間差（ＴDHO ）修正のフロー図である。前述の図１に示したＣＰＵ１８は、入力された受信タイミングの中から最も遅い受信タイミング（Ｔlast）を調べ（３−１）、Ｔ0 ＝｛ＴPERCH ＋〔ＴDHO 〕−Ｔoffset｝とＴ1 ＝｛ＴPERCH ＋〔ＴDHO ＋丸め単位Ｒ〕−Ｔoffset｝とを計算（３−２）する。なお、タイミングを表す数値が大きい程、遅れたタイミングを表し、各タイミングはチップ単位で表すことができる。図４は上記Ｔlast，Ｔ0 ，Ｔ1 のタイミング関係を示している。
【００５１】
そして、ＣＰＵ１８はＴ0 とＴlastとの大小を比較し（３−３）、図４の（ａ）に示すように、Ｔ0 がＴlastを超える場合は、とまり木チャネル受信タイミング時間差（ＴDHO ）の設定エラー処理（３−５）を行う。
【００５２】
また、上記（３−３）の比較において、Ｔ0 がＴlast以下の場合は、Ｔ1 とＴlastとの大小を比較し（３−４）、図４の（ｂ）に示すように、Ｔ1 がＴlastを超えるときは、とまり木チャネル受信タイミング時間差（ＴDHO ）を報告し（３−６）、図４の（ｃ）に示すように、Ｔ1 がＴlast以下のときは、とまり木チャネル受信タイミング時間差（ＴDHO ）に丸め単位Ｒを加えた値を報告する（３−７）。
【００５３】
上記の判定（３−３）において、Ｔ0 がＴlastを超える場合にエラー処理としているのは、適正にとまり木チャネル受信タイミング時間差（ＴDHO ）を測定して切捨てによる丸めが行われた場合、基準となるハンドオーバー元基地局（ＢＴＳ）の通信チャネル（ＤＰＣＨ）の受信タイミングより、ハンドオーバー先基地局の通信チャネル（ＤＰＣＨ）の受信タイミングが絶対に遅くなることはありえないからである。
【００５４】
図３に示した処理はＣＰＵの代わりにハードウェアで行っても良いことはもちろんである。また、図１の点線部の範囲の処理をＣＰＵによるソフトウェア処理で行うことも可能である。丸め処理が切捨て処理の場合は、前述の〔  〕内の算出は単純なビットシフト演算で行うことができる。
【００５５】
このように、移動局（ＭＳ）が基地局（ＢＴＳ）へとまり木チャネル受信タイミング時間差（ＴDHO ）情報を報告する際に、測定したとまり木チャネル受信タイミング時間差（ＴDHO ）に丸め単位Ｒ分を加算して報告することによって、サイトダイバーシティ受信対象の基地局（ＢＴＳ）からの通信チャネルの受信タイミングのずれを最小にし、移動局（ＭＳ）における遅延バッファの大きさを最小にしたまま、最大のサイトダイバーシティ効果を得ることができる。
【００５６】
更に、とまり木チャネル受信タイミング時間差（ＴDHO ）がシンボル単位で切り上げ処理されることがある場合は、一般的に以下の手法により、丸め単位Ｒ分を増減してとまり木チャネル受信タイミング時間差（ＴDHO ）を基地局（ＢＴＳ）へ報告する構成とすることができる。
【００５７】
図５は本発明によるとまり木チャネル受信タイミング時間差（ＴDHO ）の一般的な修正のフロー図である。同図に示すように、まず、移動局（ＭＳ）において、現在、遅延バッファにより受信タイミングが調整され、サイトダイバーシティ受信を行っている通信チャネル（ＤＰＣＨ）の受信タイミングの中で、最も遅い受信タイミングをしらべ、そのタイミングをＴlastとする（５−１）。
【００５８】
次に、ハンドオーバー先基地局からのとまり木チャネルの受信タイミングをＴPERCH を測定し、ＴPERCH を基に以下のＴ0 ，Ｔ+ ，Ｔ- を算定する（５−２）。
Ｔ0 ＝ＴPERCH ＋〔ＴDHO 〕−Ｔoffset
Ｔ+ ＝ＴPERCH ＋〔ＴDHO ＋丸め単位Ｒ〕−Ｔoffset
Ｔ- ＝ＴPERCH ＋〔ＴDHO −丸め単位Ｒ〕−Ｔoffset
【００５９】
そして、上記Ｔ0 ，Ｔ+ ，Ｔ- のうちから、Ｔlastに最も近傍のタイミングを選択する。ただし、Ｔlastよりも遅いタイミングとなるものは、最近傍タイミングであっても選択しない（５−３）。そのようなタイミングは、候補として除外する。理由は前述したとおりである。
【００６０】
そして選択したＴ0 ，Ｔ+ ，Ｔ- のいずれかのタイミングに対応する〔ＴDHO 〕、〔ＴDHO ＋丸め単位Ｒ〕又は〔ＴDHO −丸め単位Ｒ〕を、とまり木チャネル受信タイミング時間差（ＴDHO ）として基地局（ＢＴＳ）へ報告する（５−４）。
【００６１】
なお、図５に示すフローにおいて、丸め処理が切捨てのみである場合は、上記Ｔ- の算定は対象から外して良い。また、丸め処理が切上げのみである場合は、上記Ｔ+ の算定は対象から外して良い。丸め処理が或る閾値との比較により切捨て又は切上げが行われる場合は、上記Ｔ0 ，Ｔ+ ，Ｔ- の全てを算定し比較対象とする。
【００６２】
また、移動局（ＭＳ）から基地局（ＢＴＳ）へ、ＴDHO ，（ＴDHO ＋丸め単位Ｒ）又は（ＴDHO −丸め単位Ｒ）を報告し、基地局（ＢＴＳ）で丸め処理を行う構成とすることもできるが、該丸め処理を移動局（ＭＳ）で行い、その丸めた値を基地局（ＢＴＳ）へ報告する構成とすることにより、基地局（ＢＴＳ）での丸め処理は不用となり、移動局（ＭＳ）と基地局（ＢＴＳ）間の伝送情報量を減少させることができる。
【００６３】
【発明の効果】
以上説明したように、本発明によれば、ハンドオーバー時に移動局（ＭＳ）が基地局（ＢＴＳ）へとまり木チャネル受信タイミング時間差（ＴDHO ）を報告する際に、該時間差（ＴDHO ）の値を増減してから報告することにより、サイトダイバーシティ受信における受信タイミング調整用の遅延バッファの大きさを最小にしたまま、最大のサイトダイバーシティ効果を得ることができ、移動通信端末装置のハードウェア及び消費電力の削減を図るとともにサイトダイバーシティ効果による受信品質の向上を図ることができる。
【図面の簡単な説明】
【図１】本発明の実施形態の構成例を示す図である。
【図２】本発明によるとまり木チャネル受信タイミング時間差（ＴDHO ）の修正手段の説明図である。
【図３】本発明のＣＰＵによるとまり木チャネル受信タイミング時間差（ＴDHO ）修正のフロー図である。
【図４】本発明におけるＴlast，Ｔ0 ，Ｔ1 のタイミング関係を示す図である。
【図５】本発明によるとまり木チャネル受信タイミング時間差（ＴDHO ）の一般的な修正のフロー図である。
【図６】ハンドオーバー先基地局（ＢＴＳ２）の送信タイミング決定手順の説明図である。
【図７】移動局（ＭＳ）における受信タイミングのずれを調整する回路の説明図である。
【図８】３つの基地局（ＢＴＳ）からのサイトダイバーシティ受信における受信タイミングの例を示す図である。
【図９】３つの基地局からの信号の受信タイミングのずれを調整する回路の説明図である。
【図１０】３つの基地局からの信号の受信タイミングのずれを調整する一般的な回路の説明図である。
【図１１】複数回のハンドオーバーが行われたときの様子を示す図である。
【符号の説明】
１１  とまり木チャネル受信部
１２1 ，１２2   通信チャネル（ＤＰＣＨ）受信部
１３1 ，１３2 ，１３3   受信タイミング測定部
１４  送信タイミング決定部
１５  とまり木チャネル受信タイミング時間差（ＴDHO ）算出部
１６  ラスト受信タイミング（Ｔlast）決定部
１７  加算部
１８  ＣＰＵ
１９  通信チャネル（ＤＰＣＨ）フレーム生成部
Ｒｘ  受信部
Ｔｘ  送信部
【図１】
0003777564.tif 000002
【図２】
0003777564.tif 000003
【図３】
0003777564.tif 000004
【図４】
0003777564.tif 000005
【図５】
0003777564.tif 000006
【図６】
0003777564.tif 000007
【図７】
0003777564.tif 000008
【図８】
0003777564.tif 000009
【図９】
0003777564.tif 000010
【図１０】
0003777564.tif 000011
【図１１】
0003777564.tif 000012